(57)【特許請求の範囲】
【請求項１】
装置本体と、この装置本体に対して測定信号ケーブルで繋がれた測定電極とを備え、前記測定信号ケーブルは装置本体と測定電極の両者に対して着脱可能である計測装置において、
前記装置本体の外部に置かれ、前記測定ケーブルに物理的に不可分とした外部記憶手段と、
測定電極の校正時に、前記測定信号ケーブルより得られるデータに基づいて校正データを生成し、前記外部記憶手段に記憶する、装置本体内部に置かれた校正処理手段と、
測定時に前記外部記憶手段に記憶された校正データと、前記測定信号ケーブルより得られるデータとに基づいて測定データを生成する装置本体内部に置かれた測定処理手段と、
特定の測定電極と特定の測定信号ケーブルの接続部に、前記測定電極と前記測定信号ケーブルに跨って貼り付けられ、通常は剥がす必要はないが、意図的に剥がすことができるシールと、
を備えたことを特徴とする計測装置。
【発明の詳細な説明】
【技術分野】
【０００１】
本発明は、電位差自動滴定装置に関し、特に、測定電極が記憶手段を備えた計測装置に関するものである。
【背景技術】
【０００２】
装置本体に対し着脱自在とされた測定電極を備えたｐＨ計やイオンメータなどの測定装置においては、使用する前に標準液を用いて電極個々の特性を校正し、この校正データを基に測定値を計算補正して表示している。
【０００３】
従って、上述のように、従来の計測装置では、電極を使用するときに校正されたデータは装置本体内のメモリに記憶されているために、電極を他の電極に取り替えた場合には、この新たな電極のために再度標準液を用いて校正を行なわなければならない。
【０００４】
計測装置によっては、幾つかの校正値を記憶し、当該複数の値から適切な値を選択して使用できる装置もあるが、どのデータがどの電極のものかは使用する者が覚えていなければならない。つまり、装置本体が自動的に電極を識別することはできなかった。
【０００５】
上記のような課題を解決する目的で特許第３８２８９０３号では、電極に、当該電極の校正データを記憶させた記憶手段を持たせ、測定の前に装置側の記憶手段の校正データと電極側の記憶手段が記憶する校正データとを一致させた上で測定を開始する計測装置が開示されている。また、特許第４１６７２７４号では、電極劣化情報を前記電極側記憶手段で扱うことが開示されている。
【先行技術文献】
【特許文献】
【０００６】
【特許文献１】特許第３８２８９０３号
【特許文献２】特許第４１６７２７４号
【発明の概要】
【発明が解決しようとする課題】
【０００７】
ところが上記従来の２つの特許文献に開示の構成では、電極と電極側の記憶手段が一体不可分になっているので、電極が破損あるいは劣化すると、電極とそれに付随する記憶手段の両方を同時に交換する必要があり、経済的なデメリットが大きく、かつ損傷のない記憶手段まで廃棄する必要があった。
【０００８】
本発明は上記従来の事情に鑑みて提案されたものであって、電極が破損あるいは劣化しても電極の交換のみで足りる計測装置を提供することを目的とする。
【課題を解決するための手段】
【０００９】
本発明は、装置本体と、この装置本体に対して測定信号ケーブルで繋がれた測定電極とを備え、前記測定信号ケーブルは装置本体と測定電極の両者に対して着脱可能である計測装置を前提とし、以下の外部記憶手段と、校正処理手段と、測定処理手段とよりなる。
【００１０】
外部記憶手段は前記装置本体の外部に置かれ、前記測定信号ケーブルに物理的に不可分となっている。校正処理手段は前記装置本体の内部に置かれ、測定電極の校正時に、前記測定信号ケーブルより得られる値に基づいて校正データを生成し、前記外部記憶手段に記憶する。更に、測定処理手段は前記装置本体の内部に置かれ、測定時に前記外部記憶手段に記憶された校正データと、前記測定信号ケーブルより得られる値とに基づいて測定データを生成するようになっている。また、シール６０を電極１０と測定信号ケーブル２０に跨って貼り付けることによって、電極と測定信号ケーブルの対応性を確保している。
【発明の効果】
【００１１】
上記構成では記憶手段が測定信号ケーブルと不可分になっているので、電極が劣化あるいは破損したとき、当該電極のみを交換すればよく、測定信号ケーブルおよび外部記憶手段は、交換した新たな電極に引き続き使用できることになる。
【図面の簡単な説明】
【００１２】
【図１】本発明の概要を示す図である。
【図２】本体側の機能ブロック図である。
【発明を実施するための形態】
【００１３】
図１は本発明の概要を示す図であり、図２は本体側の機能ブロック図である。当該図１図２では本発明をｐＨ滴定装置に適用した場合を示す。
【００１４】
pH滴定装置等の電位差滴定装置は、電極１０と当該電極から測定信号ケーブル２０を介して受けた値を処理して測定データを生成し、当該測定データを表示、印字に供する装置本体３０とよりなる。
【００１５】
測定電極１０には測定信号ケーブル２０の一端が着脱自在に接続できるようになっているとともに、前記測定信号ケーブル２０の他端は装置本体３０の所定のコネクタ３０１に接続できるようになっている。前記測定信号ケーブル２０には記憶手段４０が物理的に不可分の状態で固定され、当該記憶手段４０には本体に接続できるデータケーブル５０が設けられ、本体側の所定のコネクタ３０２に接続できるようになっている。前記「物理的に不可分の状態」とは、例えば図１に示すように、前記測定信号ケーブル２０と前記データケーブル５０を物理的に一体にすることが考えられる。
【００１６】
装置本体３０内には、以下に説明する校正処理手段３１と測定処理手段３２と初期処理手段３４が備えられる。以下校正の手順、測定の手順を説明しながら校正処理手段３１と測定処理手段３２の機能をより明確にする。
【００１７】
＜校正情報を必要とする電極＞
（初期使用）
まず、外部記憶手段４０を備えた測定信号ケーブル２０の一端を、使用する電極１０（ここではpH電極とする）に接続するとともに、他端を装置本体３０のコネクタ３０１に接続する。更に、外部記憶手段４０から延設されたデータケーブル５０を装置本体３０のコネクタ３０２に接続する。
【００１８】
前記接続が完了すると装置本体３０の初期処理手段３４は、外部記憶手段４０の初期化作業を実施し、加えて電極のシリアルNo.、電極の型式、電極の種類（以下電極情報とする）を当該外部記憶手段４０と装置本体３０内のメモリ３５に登録する。
【００１９】
pH標準液（例えば、pH7とpH4の標準液）を使用し、装置本体３０内の校正処理手段３１で測定電極１０の校正を行う。校正を実施すると、前記校正処理手段３１は前記外部記憶手段４０に初回校正日、校正値(pH7とそれに対応する電位の値、pH4とそれに対応する電位の値)、校正時の温度（以下校正情報とする）を記録する。
【００２０】
測定に際して、前記測定電極１０より得られる電位を装置本体３０の測定処理手段３２で読み取るとともに、前記外部記憶手段４０に記録された前記校正情報を読み出して、当該校正情報に基づいて、pHの値を算出し、表示印刷手段３３で必要な表示あるいは印刷をする。
【００２１】
（２回目以降）
pH電極は、温度、湿度等の環境の影響を受けるので、定期的に校正をする必要がある。そこで、再度の校正処理に際しては、前記と同様、測定信号ケーブル２０と電極１０および装置本体３０を接続するが、このとき、初期処理手段３４が前記外部記憶手段４０に前回の校正情報が書き込まれているが否かを確認する。
【００２２】
ここで、書き込まれていると、pH標準液（例えば、pH7とpH4の標準液）を使用し、校正処理手段３１を用いて、測定電極１０の校正を行う。校正が終了すると校正処理手段３１は、前記外部記憶手段４０に、校正日、校正値(pH7とそれに対応する電位の値、pH4とそれに対応する電位の値)、校正時の温度等の校正データを記録する。ここで、前回の校正データを新しい校正データで更新することになるが、初回校正日はそのまま残しておく。
【００２３】
前回同様、測定を実施するときには、測定処理手段３２で前記測定電極１０より得られる電位と、前記外部記憶手段４０に記録された前記校正情報に基づいて、pHの値を算出し、表示印刷手段３３で表示あるいは印刷をする。
【００２４】
尚、上記において、前回の校正情報が書き込まれていないときは、最初の使用ということになり、初期使用のステップを実行することになる。
【００２５】
（使用期限）
尚、前記外部記憶手段４０に記録された初回校正日は、各校正処理毎に読み出されて、初回校正付から現在までの期間が計算される。当該期間が装置本体３０のメモリ３５に記憶させた使用期限情報（例えば１年）を越えているとき、測定電極の交換期限であることを装置本体に表示する。このように期限が経過した時点あるいは測定電極が破損した時点で、測定信号ケーブル２０から測定電極１０を取り外し、新しい測定電極に交換して、再度、校正作業を実施する。
【００２６】
＜校正情報を必要としない電極＞
本発明は校正作業を必要とする電極だけでなく、校正作業を必要としない電極についても適用可能である。
【００２７】
前記同様、信号電極ケーブル２０の一端を使用する測定電極１０に接続し、他端を装置本体３０に接続する。次いで、装置本体３０の初期処理手段３４が、外部記憶手段４０の初期化作業を実施し、電極のシリアルNo.、電極の型式、電極の種類、使用開始日を装置本体３０内のメモリ３５及び外部記憶手段４０に記憶させる。
【００２８】
その後の各測定作業の開始に先立って、装置本体３０は、装置本体３０の内部のメモリ３５に設定した使用期限情報（例えば１年）に対し、外部記憶手段４０に記録された使用開始日情報と装置本体の日付を照合して、期限が来ていれば、電極の交換期限であることを装置本体に表示する。
【００２９】
前記表示に従って、あるいは測定電極が破損したとき、測定信号ケーブル２０から測定電極１０を取り外し、新しい測定電極１０に交換する。再度初期登録作業を実施する。
【００３０】
尚、本願では電極１０と測定信号ケーブル２０は着脱自在である。従って、前記校正情報は、特定の電極１０と特定の測定信号ケーブル２０が１：１で対応しているときにはじめて成立する。この対応関係を成立させるために、電極１０と測定信号ケーブル２０の接続部に、通常は剥がす必要はないが、意図的には剥がすことができるシール６０を電極１０と測定信号ケーブル２０に跨って貼り付ける。特定の電極１０と特定の測定信号ケーブル２０の対応関係を確保する関係保持手段の構成はこの他種々の態様を考えることができる。
【産業上の利用可能性】
【００３１】
以上説明したように本発明によると、電極が破損、あるいは経年劣化しても、市販の電極との交換ができ、装置が安価となる。
【符号の説明】
【００３２】
１０  測定電極
２０  測定信号ケーブル
３０  装置本体
３１  校正処理手段
３２  測定処理手段
３３  表示印刷手段
３４  初期処理手段
３５  メモリ
４０  外部記憶手段
５０  データケーブル
【図１】
0006537794.tif 000002
【図２】
0006537794.tif 000003